(57)【特許請求の範囲】
【請求項１】
液透過性シートからなるトップシートと液不透過性シートからなるバックシートの間に、吸収体が具備されて、股間部領域と股間部領域を挟む長手方向両端部領域と、から構成される吸収性物品であって、前記吸収性物品は、股間部領域と長手方向両端部領域において左右一対のサイドフラップを有し、かつ前記吸収体は前記吸収性物品の外形と略相似的に縮小した形状を有し、また前記吸収性物品の長手方向両側縁部に一対の立体ギャザーを配設した前記吸収性物品において、少なくともどちらか一方の長手方向両端部の一対のサイドフラップにおいて、吸収体の上部に吸水積層シートを具備し、前記吸水積層シートは前記トップシート側から順に、上部親水性不織布と、吸水性樹脂Ａと接着剤を含有する１次吸水層と、中間親水性不織布と、吸水性樹脂Ｂと前記接着剤を含有する２次吸水層と、下部親水性不織布と、からなり、前記吸水積層シートにおける吸水性樹脂の全含有量が１００〜１０００ｇ／ｍ２であり、前記吸水積層シートを構成する前記１次吸水層に含まれる前記吸水性樹脂Ａの吸収速度がＶｏｒｔｅｘ法吸収速度で３０〜７０秒であり、前記吸水積層シートを構成する前記２次吸水層に含まれる前記吸水性樹脂Ｂの吸収速度がＶｏｒｔｅｘ法吸収速度で１〜３０秒であることを特徴とする吸収性物品。
【請求項２】
液透過性シートからなるトップシートと液不透過性シートからなるバックシートの間に、吸収体が具備されて、股間部領域と股間部領域を挟む長手方向両端部領域と、から構成される吸収性物品であって、前記吸収性物品は、股間部領域と長手方向両端部領域において左右一対のサイドフラップを有し、かつ前記吸収体は前記吸収性物品の外形と略相似的に縮小した形状を有し、また前記吸収性物品の長手方向両側縁部に一対の立体ギャザーを配設した前記吸収性物品において、少なくともどちらか一方の長手方向端部領域において左右のフラップを含む幅方向全体にわたり、吸収体の上部に吸水積層シートを具備し、前記吸水積層シートは前記トップシート側から順に、上部親水性不織布と、吸水性樹脂Ａと接着剤を含有する１次吸水層と、中間親水性不織布と、吸水性樹脂Ｂと前記接着剤を含有する２次吸水層と、下部親水性不織布と、からなり、前記吸水積層シートにおける吸水性樹脂の全含有量が１００〜１０００ｇ／ｍ２であり、前記吸水積層シートを構成する前記１次吸水層に含まれる前記吸水性樹脂Ａの吸収速度がＶｏｒｔｅｘ法吸収速度で３０〜７０秒であり、前記吸水積層シートを構成する前記２次吸水層に含まれる前記吸水性樹脂Ｂの吸収速度がＶｏｒｔｅｘ法吸収速度で１〜３０秒であることを特徴とする吸収性物品。
【請求項３】
液透過性シートからなるトップシートと液不透過性シートからなるバックシートの間に、吸収体が具備されて、股間部領域と股間部領域を挟む長手方向両端部領域と、から構成される吸収性物品であって、前記吸収性物品は、股間部領域と長手方向両端部領域において左右一対のサイドフラップを有し、かつ前記吸収体は前記吸収性物品の外形と略相似的に縮小した形状を有し、また前記吸収性物品の長手方向両側縁部に一対の立体ギャザーを配設した前記吸収性物品において、一対の股間部、および長手方向両端部のサイドフラップにおいて、吸収体の上部に吸水積層シートを具備し、前記吸水積層シートは前記トップシート側から順に、上部親水性不織布と、吸水性樹脂Ａと接着剤を含有する１次吸水層と、中間親水性不織布と、吸水性樹脂Ｂと前記接着剤を含有する２次吸水層と、下部親水性不織布と、からなり、前記吸水積層シートにおける吸水性樹脂の全含有量が１００〜１０００ｇ／ｍ２であり、前記吸水積層シートを構成する前記１次吸水層に含まれる前記吸水性樹脂Ａの吸収速度がＶｏｒｔｅｘ法吸収速度で３０〜７０秒であり、前記吸水積層シートを構成する前記２次吸水層に含まれる前記吸水性樹脂Ｂの吸収速度がＶｏｒｔｅｘ法吸収速度で１〜３０秒であることを特徴とする吸収性物品。
【請求項４】
前記吸水積層シートが、前記上部親水性不織布から前記下部親水性不織布までエンボスにより一体化された部分を有することを特徴とする請求項１〜３のいずれか１項に記載の吸収性物品。
【発明の詳細な説明】
【技術分野】
【０００１】
本発明は、失禁パッドや尿とりパッドをはじめとする、尿などの排泄物を吸収する吸収性物品に関する。さらに詳しくは、尿などの排泄物を吸収、保持する使い捨ての軽失禁製品、パンツ型紙おむつ、尿とりパッド、およびテープ止め紙おむつ等に関する。
【背景技術】
【０００２】
使い捨ての吸収性物品は、液透過性のトップシートと、液不透過性のバックシートと、それらの間に液体を吸収保持する吸収体が具備され、長手方向両側縁に、撥水性の不織布と弾性伸縮部材からなる、液の横漏れを防止する立体ギャザーが備わっているのは公知である。
【０００３】
使い捨て吸収物品の例として、尿とりパッドがある。これは単独で下着とともに使用する場合とテープ止めタイプの紙おむつ、布製のオムツカバーやパンツタイプの紙おむつの中に入れて使用する、いわゆるインナーパッドとして使用される。後者の使用方法の場合、排泄後はそのインナーパッドのみを交換することになるので経済的な使用が可能となるため、現在では一般的な使用方法となっている。
【０００４】
また、着用者のほとんどは、横になっているときが多く、自分で起き上がることができない方が多いため、頻繁に取り替えることができない場合が多い。そのような場合には、複数回の排尿回数でも吸収を可能とした吸収量の多い、かつ横漏れを防止するための立体ギャザーを具備した、外形、および吸収体がひょうたんや砂時計の形状をした尿とりパッドが開発されている。
【０００５】
実際にこのような尿とりパッドにおいて、複数回の排尿後は、立体ギャザーによって横漏れをある程度防止することができるが、吸収体が尿で飽和状態に近づくと、尿の肌への戻りが増えて不快感をもたらすと同時に立体ギャザーを越えて尿が漏れ出したり、また着用者の体重圧によって吸収体の周辺部、特に股部分やおしり側部分からの漏れや染み出しが発生する。それを軽減するために吸収体中の粉砕パルプや吸水性樹脂を増配し、吸収キャパシティを増加させたり、立体ギャザーの高さを高くするなどの手法がとられる。
【０００６】
しかし、使い捨て吸収物品の吸収体において、吸水性樹脂などを増配しても左右前後に均一に分布させることは難しいために、吸収体の側縁部での吸収力は幅方向中央部よりも劣ってしまうのが現状である。
【０００７】
さらに、使い捨て吸収性物品の長手方向側縁部は、立体ギャザーを構成する撥水性不織布が延在してホットメルト接着剤にてバックシートと接合され、肌側への染み出しと外側への漏れを防止している。しかし、複数回の排尿では、特に後部のおしり側は着用者の体重がかかる部位であるために、その圧力によって下部の吸収体からの尿が染み出し、液戻りを発生する場合が問題となる。その場合には、撥水性不織布の目付けを増やしたり、耐水圧の高い素材を使用することが実施されている。
【０００８】
特開２００３−１５９２７４号報では、脚周りや後部脇部からの漏れや染み出しを防止するために、防水処理した不織布などの液不透過性のシートによる液漏れ防止シートを設けた使い捨て吸収性物品が開示されている。
しかし、大量の尿が吸収性物品に吸収された場合には、上記のような従来技術においても、着用者の体重圧による染み出しを防止することは不十分である。
【先行技術文献】
【特許文献】
【０００９】
【特許文献１】特開２００３−１５９２７４号公報
【００１０】
しかし、以上のように、尿などの液体が吸水性物品の外部へ染み出したり、漏れたりすることを効果的に防止する技術が強く求められているが、有効な技術は
見出されていない。
【発明の概要】
【発明が解決しようとする課題】
【００１１】
そこで、本発明は上記問題点に鑑みなされたものであって、大量に排尿した後でも、吸収体の周辺部、すなわち股間部や前部、後部からの染み出しや漏れを効果的に防止する吸収性物品を提供することを目的とする。
【課題を解決するための手段】
【００１２】
このような目的は、下記（１）〜（４）の本発明によって達成される。
【００１３】
液透過性シートからなるトップシートと液不透過性シートからなるバ
ックシートの間に、吸収体が具備されて、股間部領域と股間部領域を挟む長手方向両端部領域と、から構成される吸収性物品であって、前記吸収性物品は、股間部領域と長手方向両端部領域において左右一対のサイドフラップを有し、かつ前記吸収体は前記吸収性物品の外形と略相似的に縮小した形状を有し、また前記吸収性物品の長手方向両側縁部に一対の立体ギャザーを配設した前記吸収性物品において、長手方向両端部の少なくともどちらか一方の一対のサイドフラップにおいて、吸収体８の上部に吸水積層シートを具備し、前記吸水積層シートは少なくともトップシート側から順に、上部親水性不織布と、吸水性樹脂と接着剤を含有する吸水層と、下部親水性不織布と、からなり、吸水積層シートにおける吸水性樹脂の全含有量が１００〜１０００ｇ／ｍ２であることを特徴とする吸収性物品。
【００１４】
（２）液透過性シートからなるトップシートと液不透過性シートからなるバックシートの間に、吸収体が具備されて、股間部領域と股間部領域を挟む長手方向両端部領域と、から構成される吸収性物品であって、前記吸収性物品は、股間部領域と長手方向両端部領域において左右一対のサイドフラップを有し、かつ前記吸収体は前記吸収性物品の外形と略相似的に縮小した形状を有し、股間部領域と長手方向両端部領域において左右一対のサイドフラップを有し、また前記吸収性物品の長手方向両側縁部に一対の立体ギャザーを配設した前記吸収性物品において、少なくともどちらか一方の長手方向端部領域において左右のフラップを含む幅方向全体にわたり、吸収体８の上部に吸水積層シートを具備し、前記吸水積層シートは少なくともトップシート側から順に、上部親水性不織布と、吸水性樹脂と接着剤を含有する吸水層と、下部親水性不織布と、からなり、吸水積層シートにおける吸水性樹脂の全含有量が１００〜１０００ｇ／ｍ２であることを特徴とする吸収性物品。
【００１５】
（３）液透過性シートからなるトップシートと液不透過性シートからなるバックシートの間に、吸収体が具備されて、股間部領域と股間部領域を挟む長手方向両端部領域と、から構成される吸収性物品であって、前記吸収性物品は、股間部領域と長手方向両端部領域において左右一対のサイドフラップを有し、かつ前記吸収体は前記吸収性物品の外形と略相似的に縮小した形状を有し、また前記吸収性物品の長手方向両側縁部に一対の立体ギャザーを配設した前記吸収性物品において、一対の股間部、および長手方向両端部のサイドフラップにおいて、吸収体８の上部に吸水積層シートを具備し、前記吸水積層シートは少なくともトップシート側から順に、上部親水性不織布と、吸水性樹脂と接着剤を含有する吸水層と、下部親水性不織布と、からなり、吸水積層シートにおける吸水性樹脂の全含有量が１００〜１０００ｇ／ｍ２であることを特徴とする吸収性物品。
【００１６】
（４）吸水積層シートが、上部親水性不織布から下部親水性不織布まで全体または一部分において、エンボスにより一体化されたことを特徴とする（１）〜（３）のいずれかに記載の吸収性物品。
【発明の効果】
【００１７】
本発明によれば、大量に排尿した後でも、股間部フラップ、長手方向両端部フラップからの染み出しや漏れを効果的に防止する吸収性物品を提供することができる。
【図面の簡単な説明】
【００１８】
【図１】本発明の第１の実施形態に係る吸収性物品の展開平面図である。
【図２】図１のII−II位置における断面図である。
【図３】本発明の第２の実施形態に係る吸収性物品の展開平面図である。
【図４】図３のIII−III位置における断面図である。
【図５】本発明の第３の実施形態に係る吸収性物品の展開平面図である。
【図６】図５のIV−IV位置における断面図である。
【図７】本発明に係る吸水積層シートの一例の断面図である。
【発明を実施するための形態】
【００１９】
以下、添付図面を参照して、本発明を実施するための形態（以下、実施形態という。）について詳細に説明する。
【００２０】
図１は、本発明の第１の実施形態に係る吸収性物品の展開平面図である。図２は、図１のII−II位置における断面図である。
【００２１】
吸収性物品Ｐ２は、液透過性のトップシート１１と、液不透過性シートのバックシート１２と、その間に吸収体１０を設け、吸収体１０は、トップシート側に位置する上層吸収体８とバックシート側に位置する下層吸収体９とから構成される。また、尿などの排泄物の横漏れを防止するために、長手方向両側縁部に撥水性不織布に弾性伸縮部材を伸長した状態で固着され、その収縮によって平面から垂直に立ち上がる、所謂立体ギャザー７、７が具備されている。そして、各構成部材は、それぞれの隣接する部分において接着剤等で相互に接合されている。
【００２２】
さらに、吸収性物品Ｐ２は、図１のようにその外形が略ひょうたん形状であり、着用者の股間部に位置する股間部領域２と、股間部領域２を挟む長手方向端部領域Ａ（図１では１）と長手方向端部領域Ｂ（図１では３）に分けられる。股間部は、幅方向の両側縁で凹円弧状に切り欠かれている。ここで長手方向端部領域Ｂは着用者のおしり部分にあたる。股間部領域２、長手方向両端部１、３において、それぞれ股間部サイドフラップ５、５、長手方向端部領域Ａサイドフラップ４、４、長手方向端部領域Ｂサイドフラップ６、６が形成されている。
ここでサイドフラップとは、吸収性物品の長手方向側縁部において、トップシート、立体ギャザーシート、吸収体、バックシートを含んだ側縁部分をさす。
【００２３】
吸収体１０は、吸収性物品Ｐ２の外形と略相似形であり、かつ吸収性物品の外形より長手方向と幅方向において小さい形状である。また、上層吸収体８、下層吸収体９とも外形と略相似形が好ましいが、下層吸収体のみ略矩形であってもよい。図１では、下層吸収体は略矩形の場合を示している。
【００２４】
吸収体１０は、粉砕した木材パルプ繊維や熱融着性繊維などに吸水性樹脂を混合した、マット状のものが一般的である。図示していないが、上層吸収体８、及び下層吸収体９は、親水性不織布やティシュなどの木材繊維シートで包まれるか、または各吸収体の少なくとも下部に前記親水性不織布や木材繊維シートが配置され、ホットメルト接着剤等で部分的に固定化されている。
これは、前記吸水性樹脂の粒子が吸収体から漏れ出さないようにするためと吸収体マットの型崩れを防止するためである。
【００２５】
図１、図２に示すように、第１の実施形態における吸収性物品Ｐ２は、左右の長手方向端部領域Ｂサイドフラップ６、６において、上層吸収体８の上部に一対の吸水積層シート２０、２０を設けたものである。これによって前記サイドフラップ６、６に到達した液体をすばやく吸収、保持し、着用者の体重による圧力がかかっても、肌側への染み出しや外側への漏れを効果的に防止することができる。
【００２６】
吸収性物品が着用され、股間部近傍で排尿されるとトップシートを通して尿が吸収体に吸収されていくが、複数回の排尿では、徐々に吸収速度が遅くなり、トップシートの幅方向、および長手方向に液体が流れて吸収されるようになる。幅方向では、排尿位置から幅方向端部までは比較的距離が短いために、尿は立体ギャザーの根元部分に到達し、そこで堰き止められて吸収される。
【００２７】
さらに尿は前後左右に拡散しながら吸収されるが、やがて前記サイドフラップ６、６の吸収体にまで到達する。前記サイドフラップ６、６における吸収体では、吸水性樹脂の含有率は、幅方向中央部に比べて低くなるため、吸収能力は低下し、体重による圧力がかかった場合には、尿の染み出しや液戻りの増加が起こる。
【００２８】
前記吸水積層シート２０、２０は、前記サイドフラップ６、６に設けられているために、拡散してきた尿をすばやく、効率的に吸収して保持することになるため、染み出しや液戻りを確実に防止することができる。
【００２９】
したがって、前記フラップ６、６における漏れを防止し、染み出しや液戻りを最小化して、着用者の不快感やかぶれを防止することができる。
【００３０】
図３は、本発明の第２の実施形態に係る吸収性物品の展開平面図である。図４は、図３のIII−III位置における断面図である。  
【００３１】
図３、図４に示すように、第２の実施形態における吸収性物品Ｐ３は、長手方向端部領域Ｂ、３において、上層吸収体８の上部に前記吸水積層シート２０を設けたものである。これによって前記領域３に到達した液体をすばやく吸収、保持し、着用者の体重による圧力がかかっても、前記領域３、すなわち着用者のおしり側全体にわたり、肌側への染み出しや外側への漏れを効果的に防止することができる。
【００３２】
図５は、本発明の第３の実施形態に係る吸収性物品の展開平面図である。図６は、図５のIV−IV位置における断面図である。
【００３３】
図５、図６に示すように、第３の実施形態における吸収性物品Ｐ４は、長手方向端部領域Ａサイドフラップ４、４、股間部領域サイドフラップ５、５、長手方向端部領域Ｂサイドフラップ６、６の長手方向両側面部において、上層吸収体８の上部に前記吸水積層シート２０を設けたものである。これによって吸収性物品Ｐ４の長手方向両側面に到達した液体をすばやく吸収、保持することができるために着用者が横向きになってももれや外側への染み出しを防止することができる。しかも着用者の体重による圧力がかかっても、おしり部分の側部にあたる長手方向端部領域Ｂサイドフラップ６にわたり肌側への染み出しや外側への漏れを効果的に防止することができる。
【００３４】
以下、吸水積層シート２０について詳述する。吸水積層シート２０は、吸水性樹脂と接着剤からなる吸水層を、上部親水性不織布と下部親水性不織布により挟持された構造を有する。なお、吸水層は、中間親水性不織布により複数の層に分画されていても良い。
【００３５】
図７において、一例として、上部親水性不織布２１と下部親水性不織布２５により挟持された吸水層が、中間親水性不織布２３により、１次吸水層２２と２次吸水層２４に分画された構造を有する吸水積層シート２０の構成を説明する。
【００３６】
１次吸水層２２、及び２次吸水層２４は、吸水性樹脂と接着剤を含み、この接着剤によって、上記上部親水性不織布２１、１次吸水層２２、中間親水性不織布２３、２次吸水層２４、及び下部親水性不織布２５は、相互に接着される。
【００３７】
吸水性樹脂の吸収速度の指標として、Ｖｏｒｔｅｘ法による生理食塩水の吸収速度がある。これは、回転子を入れた１００mlのビーカーに、生理食塩水を５０ｍｌ加え、マグネチックスターラーを使用して６００rpmで撹拌し、吸水性樹脂２．０００ｇを精秤して渦中に投入し、投入後からストップウォッチにて時間計測を開始し、マグネチックスターラーの回転子が止まるまでの時間を計測するものである。数値が小さいほど吸収速度が速いことを表す。
【００３８】
１次吸水層２２に用いられる吸水性樹脂ＡのＶｏｒｔｅｘ法による生理食塩水の吸収速度は、吸水積層シート２０の液の吸収速度を速め、１次吸収層における液の滞留を回避し、液を前後左右、下部にすばやく拡散する観点から、３０〜７０秒が好ましく、より好ましくは３５〜６０秒であり、さらに好ましくは３５〜５５秒である。
【００３９】
２次吸水層２４に含有される吸水性樹脂は、1次吸水層２２で吸収しきれなかった液体をすばやく吸収し、保持する役目を持つ。そのためには、吸収速度の速い吸水性樹脂を使用することが好ましい。
【００４０】
２次吸収層２４に含有される吸水性樹脂ＢのＶｏｒｔｅｘ法による生理食塩水の吸収速度は、１〜３０秒が好ましく、より好ましくは２〜２５秒であり、さらに好ましくは３〜２０秒である。
【００４１】
１次吸収層２２に用いられる吸水性樹脂Ａの吸収速度と、２次吸収層２４に含まれる吸水性樹脂Ｂの吸収速度との間には、正の値の差があり、かかる差が大きいほど、１次吸収層２２における液の滞留を回避し、かつ２次吸収層２４における液の保持が効率よく発揮される。具体的には、両者の差が１０秒以上であることが好ましく、１５秒以上であることがより好ましく、２０秒以上であることがさらに好ましい。
【００４２】
本発明に使用される吸水性樹脂の中位粒子径は、１００〜６００μｍが好ましく、２００〜５００μｍがより好ましい。粉体としての流動性が悪い微粉末の仕様を避け、吸水積層シート２０の基本性能を高める観点から、吸水性樹脂の中位粒子径は１００μｍ以上が好ましく、吸水積層シート２０が堅くなるのを防ぎ、またゴツゴツする感触を低減して、触感を改善する観点から、吸水性樹脂の中位粒子径は６００μｍ以下であることが好ましい。
【００４３】
吸水積層シート２０に含有する吸水性樹脂（1次吸水層と２次吸水層とを合わせた）の全含有量は、要求される吸収性能によって１００〜１０００ｇ／ｍ２の範囲が好ましく、より好ましくは２００〜８００ｇ／ｍ２であり、よりさらに好ましくは２５０〜６００ｇ／ｍ２である。吸収シート２０として十分な吸収性能を発揮させ、吸収後のさらさら感を保つ観点から、当該全含有量は１００ｇ／ｍ２以上であることが好ましく、超薄型で、やわらかくて動きやすさを保つ観点から、当該全含有量は１０００ｇ／ｍ２以下であることが好ましい。
【００４４】
また、吸水層が分画されている場合、1次吸水層２２における吸水性樹脂Ａと２次吸水層２４における吸水性樹脂Ｂの含有比率は、（1次吸水層２２における吸水性樹脂Ａ）／（２次吸水層２４  における吸水性樹脂Ｂ）＝９８／２〜５０／５０であることが好ましい。２次吸収層２４の吸収性を充分に発揮する観点から、１次吸収層２２の比率は９８以下であることが好ましく、１次吸収層の液戻りを少なくする観点から、１次吸収層の比率は５０以上であることが好ましい。
【００４５】
吸収性樹脂の組成としては、公知のものが使用でき、ポリアクリル酸系、でんぷん系、セルロース系などがある。
【００４６】
接着剤としては、融点が１００〜１８０℃程度で、スチレンーブタジエン−スチレン系共重合体、スチレンーイソプレン−スチレン系共重合体などの合成ゴム系、あるいはエチレン−酢酸ビニル共重合体などのオレフィン系のホットメルト接着剤が使用される。ホットメルト接着剤の塗布方法には、ノズルから溶融状態の接着剤を非接触で塗布するカーテンコート法やスパイラル法があり、また接触式ではスロット法など、公知の方法が利用できる。
【００４７】
さらに、上部親水性不織布、吸水層、及び下部親水性不織布を接着剤によって一体化した吸水積層シート２０全体に熱エンボスを施すことによって、吸水積層シート２０全体への液体の拡散を効率よくすることができ、さらに吸水性樹脂の固定が強化できる。そのエンボスパターンは、直線、曲線、ドット状など特に限定せず、またパターン形状も格子状、波状、エイコンパターン(どんぐりの連続形状)など、液体の拡散を効率よくするためのものが適宜選択される。
【００４８】
また、吸収量の多いものを得るためには、上記構成の吸水積層シート２０を複数枚重ねて多段吸水積層シートとすることも可能である。
【００４９】
吸水積層シート２０を構成する上部親水性不織布２１、下部親水性不織布２５及び中間親水性不織布２３は、２０ｇ／ｍ２以上のものであれば使用できるが、少なくとも１枚はスパンレース不織布であることが好ましい。さらに、それが下部親水性不織布２５であればなお好ましい。スパンレース不織布は、親水性が高く、それ自身が保水して一時的に液体を保持することができるからである。スパンレース不織布はレーヨンやコットンのセルロース系、及び合成繊維系などが使用できる。その目付けは適宜選択できるが２０ｇ／ｍ２以上のものが好ましい。スパンレース不織布以外としては、ポリプロピレン、ポリエチレン、ポリエステルなどの合成繊維系からなるエアースルー不織布、ポイントボンド不織布、スパンボンド不織布が使用できる。本発明においては、特に液戻りの防止に優れるエアースルー不織布が好適である。
【００５０】
吸水積層シート２０の形状は、略矩形で、角部で肌を傷めることを防止するために、四隅がＲとなっていればなお好ましい。
【００５１】
吸収性物品は、トップシートの下に、さらに厚手の親水性不織布からなる液拡散シートを設けることができる。また、消臭機能を持った消臭剤を吸収体１０中の吸水性樹脂とともに添加したり、消臭剤を不織布やパルプシート中に塗布、担持したシートを吸収性物品の中に適宜積層することができる。
【実施例】
【００５２】
実施例１〜３は、長さ６３ｃｍ、幅３２ｃｍ、吸収量の目安約１０００ｍｌの吸収性物品で、トップシート１１として目付け２０ｇ／ｍ２のエアースルー不織布、バックシート１２として目付け３２ｇ／ｍ２の通気性ポリエチレンフィルム、立体ギャザー７、７を構成する不織布として目付け１５ｇ／ｍ２のスパンボンド／メルトブロー／スパンボンドの構成である複合不織布、上層吸収体８として粉砕した木材パルプ２３ｇ、吸水性樹脂９ｇ、下層吸収体９として粉砕した木材パルプ１８ｇ、吸水性樹脂７ｇを共通部材として用い、吸水積層シート２０の配置、およびサイズが異なったものである。
【００５３】
吸水積層シート２０の上部親水性不織布２１に、目付け２０ｇ／ｍ２のエアースルー不織布、中間親水性不織布２３に目付け２０ｇ／ｍ２のエアースルー不織布、下部親水性不織布２５に目付け３５ｇ／ｍ２のレーヨンベースのスパンレース不織布、吸水積層シート２０の吸水性樹脂Ａ及び吸水性樹脂Ｂの全含有量を２９０ｇ／ｍ２、1次吸水層２２の吸水性樹脂Ａは、吸収速度４２秒、中位粒子径３８０μｍ、２次吸水層２４の吸水性樹脂Ｂは、吸収速度２０秒、中位粒子径３１０μｍ、1次吸水層２２の吸水性樹脂Ａと２次吸水層２４の吸水性樹脂Ｂの質量比を５０／５０としたものを吸水積層シート２０として実施例１〜３で共通に使用した。
【００５４】
（実施例１）
５ｃｍ×１２ｃｍの吸水積層シート２０を長手方向端部領域Ｂサイドフラップ６、６において上層吸収体８の上部に配置した吸収性物品Ｐ２を作製した。
【００５５】
（実施例２）
実施例２では、吸水積層シート２０のサイズを１２ｃｍ×２３ｃｍとし、長手方向端部領域Ｂの上層吸収体８の上部に配置したこと以外は実施例１と同じ構成の吸収性物品Ｐ３を作製した。
【００５６】
（実施例３）
実施例３では、吸水積層シート２０のサイズを５ｃｍ×４７ｃｍとし、前部フラップ４、４、股間部フラップ５、５、後部フラップ６、６において上層吸収体８の上部に配置したこと以外は実施例１と同じ構成の吸収性物品Ｐ４を作製した。
【００５７】
（比較例１）
実施例１〜３で、吸水積層シートを除く以外は実施例１〜３と同じ構成の吸収性物品を作製した。
【００５８】
（比較例２）
立体ギャザーを構成する不織布の目付けを１７ｇ／ｍ２のものを用いたこと以外は比較例１と同条件、同じものを使用して吸収性物品を作製した。
【００５９】
実施例１〜３、比較例１〜２で作製した吸収性物品について、下記のような試験法により、物性を測定し、比較した。
【００６０】
（測定方法）
（サイドフラップ部染み出し試験）
実施例1〜3、比較例１〜２で作成した吸収性物品で、その股間部の幅方向中央部に、１０００ｍｌの生理用食塩水を注入し、５分後、あらかじめ重量を測定したろ紙（ＡＤＶＡＮＴＥＣ社製Ｎｏ．２ろ紙、直径５５ｍｍ）を長手方向端部領域Ｂサイドフラップに置き、その上に錘を３０秒間乗せ、ろ紙の重量を測り、ろ紙の重量差を染み出し量とする。錘は約６．８６５ｋＰａと約１０．２９７ｋＰａの荷重となるように調整した。なお、圧力６．８６５ｋＰａは、平均的な成人が座った状態で掛かる圧力、圧力１０．２９７ｋＰａは、横向き寝で腰骨が当たった場合など、局部的に加重が集中した状態を想定した圧力である。
【００６１】
（４５°傾斜横漏れ試験）
実施例１〜３、比較例１〜２で作成した吸収性物品を、長手方向を軸として４５°に傾斜させ、股間部の幅方向中央部に、１０００ｍｌの生理食塩水を注入し、側部からの漏れを観察する。吸収性物品の外側に液体が漏れた場合を×、漏れなかった場合を○と評価する。
【００６２】
表１は実施例１〜３、比較例１〜２で作製した吸収性物品に関する測定結果を示したものである。
【００６３】
（表１）
0005967796.tif 000002
【００６４】
表１に示した結果から、実施例１〜３では、サイドフラップからの染み出しはなく、しかも横からの漏れもない、優れた効果があることが明らかとなった。
【００６５】
以上、実施形態を用いて本発明を説明したが、本発明の技術的範囲は上記実施形態に記載の範囲には限定されないことは言うまでもない。上記実施形態に、多様な変更または改良を加えることが可能であることが、当業者には明らかである。また、その様な変更または改良を加えた形態も本発明の技術的範囲に含まれ得ることが、特許請求の範囲の記載から明らかである。
【符号の説明】
【００６６】
Ｐ２、Ｐ３、Ｐ４            吸収性物品
１              長手方向端部領域Ａ
２              股間部領域
３              長手方向端部領域Ｂ
４              長手方向端部領域Ａサイドフラップ
５              股間部領域サイドフラップ
６              長手方向端部領域Ｂサイドフラップ
７              立体ギャザー
８              上層吸収体
９              下層吸収体
１０            吸収体
１１            トップシート
１２            バックシート
２０            吸水積層シート
２１            上部親水性不織布
２２            １次吸水層
２３            中間親水性不織布
２４            ２次吸水層
２５            下部親水性不織布
【図１】
0005967796.tif 000003
【図２】
0005967796.tif 000004
【図３】
0005967796.tif 000005
【図４】
0005967796.tif 000006
【図５】
0005967796.tif 000007
【図６】
0005967796.tif 000008
【図７】
0005967796.tif 000009